(57)【要約】      （修正有）【課題】永久的に燃料を使わず更に排煙も全く無い無公害発電装置の提供。【解決手段】高密度核融合方法により作製するＤ−チューブのスパイラル管はサークル管の一部をコイル状に巻いたもので、サークル管の静止磁場が連続的に移動する動的な磁界が形成される。Ｄ−チューブの超伝導磁界は強烈な磁界力を備えており金属導体の電子群を意のままに配列させてしまうので一定方向に強制配列させられた電子は直流電流（電子磁束）を生み出す。其の電子磁束を利用する事により無燃料  無駆動の永久発電機を造る。【選択図】図２
2005037338.tif 000002
【特許請求の範囲】
【請求項１】
高密度核融合方法（特許出願０１）の方法により本装置で作製するＤ−チューブ管の直管により発生する常温超伝導核子磁束
【請求項２】
高密度核融合方法（特許出０１）の方法により本装置で作製するＤ−チューブ管のサークル管により発生する超伝導磁界特性
【請求項３】
高密度核融合方法（特許出願０１）の方法により本装置で作製するＤ−チューブ管のスパイラル管により発生する永久電磁誘導特性
【請求項４】
本装置により作製した器具による無燃料  永久発電装置
【請求項５】
本装置により作製した器具による常温超伝導浮上  推進装置
【発明の詳細な説明】
【技術分野】
【０００１】  本発明の  Ｄ−チューブは本装置により核融合反応生成物である重列元素（Ｍａｔｒｉｘ  Ｅｌｅｍｅｎｔ）（特許出０１）をチューブ状の容器に詰めたものである
チューブの材料はガラス管（Ｐｙｒｅｘ）を基本とする非磁性素材とする
その他の材料として、塩化ビニール  石英管  テフロン管等である【０００２】  本発明の重列元素は重水素ガスが核融合して出来る物質である（特許出願０１）
主に星の中心核（コア）や大型元素の原子核の中に存在する
詰める容器によって特性が異なるという特徴を持つ【０００３】  重列元素は核反応生成物である為に  其の侭では核崩壊に伴う放射線の危険性が或程度存在する  そのため日本発明では重列元素を環状（ループ型）に合成する事により  核子磁束を内部で循環させ  其れによって核崩壊を回避し  また磁束の外部拡散を防ぎ  核子振動（放射線発生）の抑制をする【０００４】  本発明のＤ−チューブの直管は目に見える形の重列元素（直列タイプ）を世界で始めて合成する事に成功した  この直管の両極から超伝導核子磁束を絶えず放出しているので熱エネルギーを直接取り出す事が出来るものである直管が長くなる程高エネルギーが放出されるので取り扱いが難しくなる
直管は核崩壊を起し易いので磁束放射を長期間取り出す為には長く原型を維持させる必要があり制御手段として電磁場の磁束を常時付加して置かなければならない
もし核反応エネルギーの破格のエネルギーを直接求める場合の大きな長いものは  そのまま制御しないで崩壊を起こしても良いのでプルトニュウムの代わりに原子炉内等で利用する事となる【０００５】  本発明のＤ−チューブのサークル管は最も安定したもので其の寿命は５０億年〜１００億年とも推測される  重列元素の形状がループ状の為に超伝導核子磁束が内部循環し外部にエネルギーを放出しないのが特徴である  外部にエネルギーを放出しない代わりにサークル管の周囲には超伝導磁界が形成される
ここでサークル管に形成される超伝導磁界は重力磁場と同じ静止磁場であって磁界移動しない
其の磁界シールド作用の為に地球重力が遮断され物体の重量が“０”になる  其の磁界に人間が入れば其の人間は空中で静止する事になる  この磁界はあらゆる物体の重量を“０”にする反重力性超伝導磁界である
重力抵抗がなくなる分タンカーや旅客機や宇宙ロケットなど僅かな推進力で運動を起こせる  空を飛ぶ自動車や列車が造れると言う事である【０００６】  本発明のＤ−チューブのスパイラル管はサークル管の一部をコイル状に巻いたものであるが其のスパイラルの部分が特異な作用を行う
コイル状に巻きつけるとサークル管の静止磁場が連続的に移動する動的な磁界が形成される
静止磁界に対して動磁界と呼んでいる
電気で言えば所謂電圧流を生み出すコイル磁界と同じものである
スパイラル管の特性は其の磁界による電磁誘導能力である
通常の電磁誘導ではコイル磁界の馬力に不足するために継続的な直流電流を得る事は難しく  常に磁石棒をコイルに出し入れして切れ切れの交流を得ているＤ−チューブの超伝導磁界は強烈な磁界力を備えており金属導体の電子群を意のままに配列させてしまうので一定方向に強制配列させられた電子は直流電流（電子磁束）を生み出す
其の電子磁束を利用する事により無燃料  無駆動の永久発電機を造る事が出来た
【背景技術】
【０００７】  本発明は低エネルギー核融合および核崩壊による熱エネルギー発生に属す技術である  現在実験が続けられていながら１度も成功例のない高温核融合ではなく  特殊な方法により（特許出願０１）低温  低エネルギーで核融合を起こし  尚崩壊させない事で発生させた中心磁束を利用することによる技術である【０００８】  本発明は常温超伝導装置に属する技術である
現在の超伝導は絶対温度から数十度高温でも超伝導が起きる素材が発明された為にその温度では超伝導が利用出来る様になったと言え気温常温では起き得ないとされている【０００９】  本発明は化石燃料を使用しな無公害  無燃料  永久発電装置に属する技術である
本装置により超伝導による想像を絶する中心磁束を生み出す事が出来
その中心磁束の回転により独立磁場が形成され  その中では地球重力磁場の影響を受けないために重量は“０”になり常温超伝導状態を作ることが出来る
【発明の開示】
【発明が解決しようとする課題】
【００１０】  高温核融合による熱エネルギーを利用しようとしているが成功してない
理論の間違いを正す【００１１】  超伝導を作るために超低温に冷却している現在の技術を本発明により気温常温で超伝導を作る事【００１２】  化石燃料を使用しない無公害発電装置として  風力や  太陽熱や  水力や  永久磁石や  温度差利用などがが行われている
気象条件などで影響を受けず  設置場所も選ばず  無燃料発電装置を作る【００１３】  無燃料  無公害  無駆動の永久発電機は存在しないと言われている現代科学理論を正す
【課題を解決するための手段】
【００１４】  低エネルギー  高密度核融合装置（β＋ＡＩＳ：特許出願０１）により重列元素を作り  本発明の各種容器に入れる事で解決する
【発明の効果】
【００１５】  低エネルギーによる核融合を起こす事が出来  常温で核崩壊を防御するコントロールが出来るようになった【００１６】  気温常温で超伝導状態を作ることが出来る様になった【００１７】化石燃料を使用しないで小型で大電力を発生させる無燃料  無公害  永久発電が出来る様になった【００１８】  低エネルギー核融合から意識的に核崩壊を起こす事により膨大な熱エネルギーを利用する事が出来る様になった
【図面の簡単な説明】
【００１９】
【図１】  本発明のＤ−チューブ直管の図である
【図２】  本発明のＤ−チューブループ管の図である
【図３】  本発明のＤ−チューブスパイラル管の図である
【符号の説明】
【００２０】図１〜３は縦列母元素のチェーンを作る容器である
【図１】
2005037338.tif 000003
【図２】
2005037338.tif 000004
【図３】
2005037338.tif 000005